(57)【要約】【課題】結合具の部材ひいてはプレートまたはこれに類するものの圧着が、部材に何らかの剪断力が加えられることなしに、長手方向だけでなく横方向でも達成されるようにする。【解決手段】保持体内に、リリース位置からロック位置に回動可能なピンまたはこれに類するものが支承されており、該ピンと保持体の壁との間にピンの周面で支持部材１９が位置しており、ピンおよび／または支持部材１９が、相互の圧着のために、特にカーブ状に成形された肉厚部または少なくとも部分的に偏心的な構造部を有しているようにした。【選択図】図３
2006207818.tif 000002
【特許請求の範囲】
【請求項１】
プレート、特に棚板に用いられる結合具であって、一方の部材の切欠き内に挿入可能な保持体（１）が設けられており、該保持体（１）内に、他方の部材に結合される固定部材（２）が、ほぼ軸方向で押込み可能である形式のものにおいて、保持体（１）内に、リリース位置からロック位置に回動可能なピン（３）またはこれに類するものが支承されており、該ピン（３）と保持体（１）の壁との間にピン（３）の周面で支持部材（１９）が位置しており、ピン（３）および／または支持部材（１９）が、相互の圧着のために、特にカーブ状に成形された肉厚部または少なくとも部分的に偏心的な構造部を有していることを特徴とする、プレートに用いられる結合具。
【請求項２】
支持部材（１９）が、ピン（３）を部分的に取り囲む円弧状のかつほぼ軸方向に向けられた壁部分として形成されている、請求項１記載の結合具。
【請求項３】
ピン（３）が、支持部材（１９）の下側の縁部（２２）に接触するフランジ（１３）を有している、請求項１または２記載の結合具。
【請求項４】
フランジ（１３）が、ロック位置への回動方向と逆方向で上り勾配になっている、請求項１から３までのいずれか１項記載の結合具。
【請求項５】
固定部材（２）に、保持体（１）内にピン（３）にまで該ピン（３）の長手方向軸線に対してほぼ横方向に延びる突起（１８）が配置されている、請求項１から４までのいずれか１項記載の結合具。
【請求項６】
ピン（３）が、ロック位置を越える回動運動を制限するために、突起（１８）と協働するストッパ（２６）を有している、請求項５記載の結合具。
【請求項７】
突起（１８）が、ピンフランジ（１３）の下方に位置している、請求項５または６記載の結合具。
【請求項８】
保持体（１）が、ほぼ管状に形成されていて、軸方向で少なくとも部分的にスリット付けされている、請求項１から７までのいずれか１項記載の結合具。
【請求項９】
保持体（１）が、そのスリットの縁部に、固定部材（２）を収容するための斜め下向きで内側に延びる鳩尾状のガイド溝（２１）を有している、請求項８記載の結合具。
【請求項１０】
保持体（１）が、ピン（３）を支持するための横方向底部（９）を有している、請求項１から９までのいずれか１項記載の結合具。
【請求項１１】
横方向底部（９）が、軸方向に延びる横方向壁（１０）によって支持されている、請求項１０記載の結合具。
【請求項１２】
ピン（３）が、その下側の端部に、ロックディスク（１５）を備えた支承バー（１４）を有しており、横方向底部（９）が、相応の切欠き（１１）を有しており、ロックディスク（１５）が、横方向底部（９）に少なくともピン（３）のロック位置で下方から係合している、請求項１０または１１記載の結合具。
【請求項１３】
保持体（１）が、固定したいプレート（８）に支持するために、ねじまたはこれに類するもののための切欠き（７）を備えた、側方に突出したプレート状の１つまたはそれ以上のウィング（６）を有している、請求項１から１２までのいずれか１項記載の結合具。
【請求項１４】
固定部材（２）が、保持体を越えて突出するカバープレート（１６）として形成されており、該カバープレート（１６）が、これに対して垂直に延びる、保持体（１）のガイド溝（２１）内に押込み可能な脚部（１７）を備えており、該脚部（１７）が、その長手方向軸線に対して横方向に向けられた突起（１８）を支持している、請求項４から１３までのいずれか１項記載の結合具。
【請求項１５】
カバープレート（１６）が、貫通孔（２４）を有しており、ピン（３）が、支承バー（１４）と逆方向の端部に、工具を係合させるための１つまたはそれ以上のスリット（２５）を有している、請求項１４記載の結合具。
【発明の詳細な説明】
【技術分野】
【０００１】
本発明は、プレート、特に棚板に用いられる結合具であって、一方の部材の切欠き内に挿入可能な保持体が設けられており、該保持体内に、他方の部材に結合される固定部材が、ほぼ軸方向で押込み可能である形式のものに関する。
【背景技術】
【０００２】
このような形式の既知の構成では、保持体内にロックディスクが回動可能に支承されている。このロックディスクは固定部材の溝内に係合する。この場合、この溝の載着面とロックディスクの当付け面とが逆方向で上り勾配になっており、これによって、保持体に対する固定部材の軸方向の圧着が行われる。別の既知の結合具では、固定部材が、凹部を備えたピンから成っている。この場合、保持体内に回動可能に配置されたロック部材がピン凹部内に係合する。確かに、これによって、鉛直方向の締付けだけでなく、水平方向の締付けも達成されるが、しかし、この場合、ピンにその差込み方向に対して横方向で不都合な応力が加えられ、これによってピンに剪断力が作用する。
【発明の開示】
【発明が解決しようとする課題】
【０００３】
したがって、本発明の課題は、冒頭で述べた形式の、プレートに用いられる結合具を改良して、結合具の部材ひいてはプレートまたはこれに類するものの圧着が、部材に何らかの剪断力が加えられることなしに、長手方向だけでなく横方向でも達成されるようにすることである。
【課題を解決するための手段】
【０００４】
この課題を解決するために本発明の構成では、保持体内に、リリース位置からロック位置に回動可能なピンまたはこれに類するものが支承されており、該ピンと保持体の壁との間にピンの周面で支持部材が位置しており、ピンおよび／または支持部材が、相互の圧着のために、特にカーブ状に成形された肉厚部または少なくとも部分的に偏心的な構造部を有しているようにした。
【発明の効果】
【０００５】
支持部材の特に有利な構成は、この支持部材が、ピンを部分的に取り囲む円弧状のかつほぼ軸方向に向けられた壁部分として形成されている場合に得られる。ピンが、支持部材の下縁部に接触するフランジを有していると有利である。これによって、ピンの軸方向の位置が確保されている。同じくピンのロックのためには、固定部材に配置された突起が働く。この突起は保持体内にピンにまで延びていて、しかも、このピンの長手方向軸線に対してほぼ横方向に延びている。この場合、突起が、ピンフランジの下方に位置していると有利である。
【０００６】
保持体が、ほぼ管状に形成されていて、軸方向で少なくとも部分的にスリット付けされていると有利である。さらに、保持体が、そのスリットの縁部に、固定部材を収容するための斜め下向きで内側に延びる鳩尾状のガイド溝を有していると有利である。
【０００７】
ピンを支持するためには、保持体に横方向底部が設けられている。この横方向底部は、安定性理由から、軸方向に延びる横方向壁によって付加的に補強されている。ピン自体はその下側の端部に、ロックディスクを備えたガイドバーを有しており、ピンは相応の切欠きを有している。この場合、ロックディスクが底部に少なくともピンのロック位置で下方から係合している。
【０００８】
保持体が、固定したいプレートに支持するために、ねじまたはこれに類するもののための切欠きを備えた、側方に突出したプレート状の１つまたはそれ以上のウィングを備えていると有利である。固定部材が、保持体を越えて突出するカバープレートとして形成されており、このカバープレートが、これに対して垂直に延びる、保持体の溝内に押込み可能な脚部を備えており、この脚部が、その長手方向軸線に対して横方向に向けられた突起を支持していると有利である。プレート状の構成によって、保持体を固定するために働くねじをカバーすることができる。カバープレートの脚部には、固定ねじまたはこれに類するもののための少なくとも１つ、特に２つの切欠きが位置している。さらに、カバープレートが、ピンに通じる貫通孔を有しており、ピンが、支承バーと逆方向の端部に、工具を係合させるための１つまたはそれ以上のスリットを有していると有利である。
【発明を実施するための最良の形態】
【０００９】
以下に、本発明を実施するための最良の形態を図面につき詳しく説明する。
【００１０】
結合具は、図１および図２に示したように、３つの部材、つまり、保持体１と、固定部材２と、ピン３とから形成される。
【００１１】
保持体１は管状の基体４を有している。この基体４は、軸方向に延びる長手方向スリット５を有している。管状の基体４の上側の端部には、特にハニカムプレートを結合するために、固定ねじ（図示せず）のための切欠き７を備えた、側方に突出したプレート状の２つのウィング６が設けられている。両ウィング６で保持体はプレート８の表面に支持されていて（図９参照）、固定ねじによってプレート８に結合されている。管状の基体４のほぼ中間には横方向底部９が配置されている。この横方向底部９は、軸方向に延びる横方向壁１０によって付加的に支持されている。横方向底部９はピン３のための切欠き１１を有している。
【００１２】
ピン３は保持体１の管状の基体４内で横方向底部９に回動可能に支承されている。ピンヘッド１２の下方には、片側で切断されたフランジ１３が位置している。このフランジ１３は、ロック位置への回動方向と逆方向でやや上り勾配になっている。ピン３の下側の端部には支承バー１４が設けられている。この支承バー１４は横方向底部９の切欠き１１内に係合し、少なくとも結合具のロック位置においてロックディスク１５で横方向底部９に下方から係合している。切欠き１１は、ピン３を、少なくとも図５に示したリリース位置において、支承バー１４およびロックディスク１５で底部分９の切欠き１１内に挿入することができるように成形されている。その後、図６に示したロック位置への回動時に、横方向底部９がロックディスク１５によって下方から係合され、これによって、ピン３が軸方向で位置保持されている。さらに、ピン３はそのフランジ１３の下方にストッパ２６（図６参照）を有している。このストッパ２６の機能に関してはさらに下方で説明する。
【００１３】
固定部材２は、保持体１をそのウィング６でカバーするプレート１６と、このプレート１６に対して垂直に延びる脚部１７とから形成されている。この脚部１７には、軸方向に対して横方向内側に向けられた、ピン３に当て付けるための、ひいては、ピン３のロックのための突起１８が配置されている。プレート１６には、脚部１７と反対の側に、プレート１６から軸方向下向きに突出した円弧状の壁部分１９が位置している。この壁部分１９はピンヘッド１２を部分的に取り囲む。さらに、脚部１７はその後方の縁部に２つのガイドレール２０を備えている。両ガイドレール２０は、保持体１の長手方向スリット５の縁部に設けられた、斜め下向きで内側に延びる鳩尾状の２つのガイド溝２１内に係合する。固定部材２は、ピン３が、図５に示したリリース位置に位置している間しか挿入することができない。
【００１４】
時計回り方向でのピン３の回動時には、偏心的に成形されたピンヘッド１２が、支持部材として働く壁部分１９を押圧し、これによって、固定部材２が保持体１に圧着される。壁部分１９の下側の縁部２２に接触する上り勾配のフランジ１３によって、同時に軸方向での保持体１への固定部材２の圧着も行われる。これによって、鉛直方向だけでなく水平方向でも、部材相互の固い結合が生ぜしめられる。この結合は、部材に結合されたプレート８，２３（図９参照）にも伝達される。ロック位置を越えるさらなる回動を阻止するためには、ストッパ２６がこの位置で突起１８に接触している（図６参照）。部材は、ピン３が、図６に示したロック位置から、図５に示したリリース位置に逆回動させられることによって、やはり問題なく互いに解離することもできる。
【００１５】
ピン３の容易な調整を可能にするためには、カバープレート１６に、ピン３を露出させる切欠き２４が設けられており、ピン３に、工具を係合させるための１つまたはそれ以上のスリット２５が設けられている。
【００１６】
図７および図８には、断面図で、ピン３の両終端位置における保持体１および固定部材２相互の各位置が示してある。この場合、図７には、ロック位置が示してあり、図８には、リリース位置が示してある。図９には、棚板に対する結合具の使用が示してある。この場合、保持体１はプレート８の切欠き内に位置しており、固定部材２はねじ２７によって第２のプレート２３に固定されている。
【図面の簡単な説明】
【００１７】
【図１】保持体と、挿入前のピンとの斜視図である。
【図２】挿入されたピンを備えた保持体と、挿入前の固定部材との斜視図である。
【図３】図２の背面図である。
【図４】組み立てられた結合具の斜視図である。
【図５】挿入されたピンと固定部材とを備えた保持体をピンのリリース位置で拡大して示す部分的に破断された斜視的な背面図である。
【図６】ピンのロック位置を示す図である。
【図７】図６の横断面図である。
【図８】図５の横断面図である。
【図９】結合具によって互いに固定された２つのプレートの横断面図である。
【符号の説明】
【００１８】
１  保持体、  ２  固定部材、  ３  ピン、  ４  基体、  ５  長手方向スリット、  ６  ウィング、  ７  切欠き、  ８  プレート、  ９  横方向底部、  １０  横方向壁、  １１  切欠き、  １２  ピンヘッド、  １３  フランジ、  １４  支承バー、  １５  ロックディスク、  １６  プレート、  １７  脚部、  １８  突起、  １９  壁部分、  ２０  ガイドレール、  ２１  ガイド溝、  ２２  縁部、  ２３  プレート、  ２４  切欠き、  ２５  スリット、  ２６  ストッパ、  ２７  ねじ
【図１】
2006207818.tif 000003
【図２】
2006207818.tif 000004
【図３】
2006207818.tif 000005
【図４】
2006207818.tif 000006
【図５】
2006207818.tif 000007
【図６】
2006207818.tif 000008
【図７】
2006207818.tif 000009
【図８】
2006207818.tif 000010
【図９】
2006207818.tif 000011